(57)【要約】【課題】可搬型の動力工具のチャック部に装着して使用でき、動力工具の能力を超えた速度で先端工具を回転させることができる動力工具用の変速アタッチメントを提供する。【解決手段】把持部を有する可搬型の電動工具に装着して使用される変速アタッチメント１１は、電動工具のチャック部に装着可能な入力軸２８と、入力軸２８の回転を変速（一例として増速）させる変速機構部２１と、変速機構部２１により変速された回転が出力されるチャック部１４とを備える。チャック部１４には電動工具で使用される先端工具が着脱可能に装着される。【選択図】図３
2014205222.tif 000002
【特許請求の範囲】
【請求項１】
把持部を有する可搬型の動力工具のチャック部に着脱可能に取り付けられる入力軸と、
前記入力軸の回転を変速させる変速機構部と、
前記変速機構部により変速された回転が出力されると共に先端工具を着脱可能に取り付け可能なチャック部と、
を備えたことを特徴とする動力工具用の変速アタッチメント。
【請求項２】
請求項１に記載の変速アタッチメントにおいて、
前記変速機構部の筐体に固定される補助ハンドル部を更に備えたことを特徴とする動力工具用の変速アタッチメント。
【請求項３】
請求項１に記載の変速アタッチメントにおいて、
前記変速機構部の筐体と前記動力工具の筐体とに係合可能なストッパーを備えたことを特徴とする動力工具用の変速アタッチメント。
【請求項４】
請求項１乃至３のいずれか一項に記載の変速アタッチメントにおいて、
前記変速機構部は、前記入力軸の回転を増速させる増速機構部を備えることを特徴とする動力工具用の変速アタッチメント。
【請求項５】
請求項２に記載の動力工具用の変速アタッチメントにおいて、
前記補助ハンドル部は、前記入力軸に対して略直交する方向に延びた状態で前記変速機構部の筐体に着脱可能に設けられていることを特徴とする動力工具用の変速アタッチメント。
【発明の詳細な説明】
【技術分野】
【０００１】
本発明は、電動ドリル等の把持部を有する可搬型の動力工具に設けられたチャック部に装着して使用され、電動工具から入力した回転を変速して出力可能な動力工具用の変速アタッチメントに関する。
【背景技術】
【０００２】
この種の可搬型の動力工具の一例として電動ドリル等の電動工具が知られている。電動工具は、ユーザが作業を行うときに把持する把持部を備える。ユーザは、例えば片手で把持部を握りその握った側の指で操作レバー（例えばトリガーレバー）を操作して電動工具を駆動させてその先端工具を回転させることにより、対象物に対するねじ締めや穴開け等の所望の作業を行う。この電動工具は、モーター等の動力源と、動力源の出力回転を変速させる変速機構部と、変速機構部により所定の変速比で変速された回転を出力する出力軸と、出力軸と連結されるチャック部とを備え、チャック部に先端工具を装着して使用される（例えば特許文献１、２）。
【０００３】
ところで、従来、先端工具の回転運動で行う作業と、先端工具の直線運動で行う作業とが必要な場合、回転運動を出力可能な電動工具と、直線運動を出力可能な電動工具とを別々に用意する必要があった。このような課題を解決するため、例えば特許文献１には、出力部が回転運動する電動工具に装着して使用される運動変換アダプターが開示されている。運動変換アダプターは、ケーシングの一端に設けられた電動工具の出力部に装着する入力軸と、ケーシングの他端に配置された出力軸に先端工具を装着するためのチャック部と、入力軸と出力軸の間に入力軸の回転運動を出退（直線）運動に変換する運動変換機構とを備える。
【０００４】
また、特許文献２には、電動工具のチャック部に装着して使用される回転切断用工具が開示されている。この回転切断用工具はワンウェイクラッチを内蔵し、駆動中の電動工具のスイッチを切ったときにブレーキが効いて駆動軸が停止しても、回転切断用工具の刃物体が空回りするようになっている。このように、従来、可搬型の電装工具のチャック部に装着されるアタッチメントとして、運動変換機構を内蔵するアタッチメントや、ワンウェイクラッチを内蔵するアタッチメントなどが知られている。
【先行技術文献】
【特許文献】
【０００５】
【特許文献１】実用新案登録第３１１７７８５号公報
【特許文献２】特開平５−３１８２１３号公報
【発明の概要】
【発明が解決しようとする課題】
【０００６】
ところで、タイルなどのセラミック材料の穴開けを行う場合、その穴開け作業時に欠け等の発生を抑制しつつ作業時間を短く済ませるためには低トルク高速回転が必要になる。しかし、従来の電動工具は、高速回転モードがあるものの、セラミック材料の穴開け作業では、その高速回転モードでも速度が足らず、作業にかなりの時間を要している。
【０００７】
また、超高速対応の電動工具を新規に製造するには、その需要がタイル等のセラミック材料の穴開け作業などの特殊作業に留まり、その需要の低さから製品価格が上昇せざるを得ない。このため、少ない需要を満たすために新商品を提供することも困難である。
【０００８】
もちろん、上記の課題は、既存の電動工具の能力を超えた高トルク（低速度）が必要な場合にも同様に当てはまる。また、上記の課題は、電動工具に限らず、例えば空圧で駆動される空圧式の動力工具、又は油圧で駆動される油圧式の動力工具などを含む可搬型の動力工具全般に共通に当てはまる。
【０００９】
本発明は、上記課題を解決するためになされたものであって、その目的は、動力工具のチャック部に装着して使用でき、動力工具の能力を超えた速度で先端工具を回転させることができる動力工具用の変速アタッチメントを提供することにある。
【課題を解決するための手段】
【００１０】
上記目的を達成するために変速アタッチメントは、把持部を有する可搬型の動力工具のチャック部に着脱可能に取り付けられる入力軸と、前記入力軸の回転を変速させる変速機構部と、前記変速機構部により変速された回転が出力されると共に先端工具を着脱可能に取り付け可能なチャック部と、を備えている。
【００１１】
上記の動力工具において、前記変速機構部の筐体に固定される補助ハンドル部を更に備えることが好ましい。
上記の動力工具において、前記変速機構部の筐体と前記動力工具の筐体とに係合可能なストッパーを備えることが好ましい。
【００１２】
上記の動力工具において、前記変速機構部は、前記入力軸の回転を増速させる増速機構部を備えることが好ましい。
上記の動力工具において、前記補助ハンドル部は、前記入力軸に対して略直交する方向に延びた状態で前記変速機構部の筐体に着脱可能に設けられていることが好ましい。
【発明の効果】
【００１３】
本発明によれば、動力工具のチャック部に装着して使用でき、動力工具の能力を超えた速度で先端工具を回転させることができる。
【図面の簡単な説明】
【００１４】
【図１】第１実施形態における変速アタッチメントが装着された電動工具を示す斜視図。
【図２】変速アタッチメントが装着された電動工具を示す図１とは異なる方向から見た斜視図。
【図３】変速アタッチメントの斜視図。
【図４】変速アタッチメントの分解斜視図。
【図５】変速アタッチメントを示す側断面図。
【図６】第２実施形態における変速アタッチメントが装着された電動工具を示す斜視図。
【発明を実施するための形態】
【００１５】
（第１実施形態）
以下、第１実施形態における変速アタッチメント及びこの変速アタッチメントが可搬型の電動工具に装着されてなる電動工具ユニットについて、図１〜図５に基づいて説明する。
【００１６】
図１及び図２に示すように、本実施形態の変速アタッチメント１１は、把持部３１ｂを有する可搬型の電動工具１２にビットなどの先端工具を装着するために設けられたチャック部１３に装着することで使用される。そして、変速アタッチメント１１は、電動工具１２側のチャック部１３の回転を入力して、その入力した回転速度を変速して出力する変速機能を有する。変速アタッチメント１１は、その変速機能により変速した回転が出力されるチャック部１４を有し、このチャック部１４の装着穴１４ａには図１に二点鎖線で示すように先端工具１５が装着される。
【００１７】
よって、変速アタッチメント１１の使用により、チャック部１４に装着された先端工具１５を、電動工具１２の能力を超えた速度で回転させることが可能になる。本実施形態の変速アタッチメント１１は、電動工具１２の出力回転を増速させる増速機能を有する。このため、変速アタッチメント１１は、例えばセラミック材料からなる対象物（一例としてタイル等）に対してねじの締結や穴開けなどの高速回転が必要な作業を行うときに、電動工具１２のチャック部１３に装着して使用される。
【００１８】
図１及び図２に示すように、変速アタッチメント１１は、電動工具１２のチャック部１３に装着されてチャック部１３の回転を入力して変速（本例では増速）させる変速機能を有するアタッチメント本体部１８と、アタッチメント本体部１８に対しその回転軸線方向と略直交する方向に延出する状態で取り付けられる補助ハンドル部１９とを有する。
【００１９】
図１〜図３に示すように、アタッチメント本体部１８は、電動工具１２からの入力回転を変速する機能を有する略円柱状の変速機構部２１と、変速機構部２１により変速された速度で回転可能な前述の略円錐台形状のチャック部１４とを有する。チャック部１４は基本的に電動工具１２側のチャック部１３と同様の構造を有している。また、変速機構部２１はその外周面を形成する円筒状のギアケース２２を備え、このギアケース２２内に後述する変速機構４０（図４、図５を参照）が収容されている。なお、本実施形態では、このギアケース２２が、変速機構部の筐体の一例を構成している。
【００２０】
図１〜図３に示すように、補助ハンドル部１９は、アタッチメント本体部１８の回転不能部分であるギアケース２２の外周面に補助ハンドル部１９を取り付けるための取付部２３と、ユーザが把持するためのハンドル部２４とを有する。取付部２３は、変速機構部２１のギアケース２２の外周面における動力伝達方向上流側（図１〜図３では右側）寄りの位置に取り付けられる。取付部２３は、補助ハンドル部１９をギアケース２２の外周面に着脱可能に取り付ける機能と、ギアケース２２の外周面かハンドル部２４を延出させる向き（延出方向）を調整する機能とを有している。このため、ハンドル部２４を電動工具１２に対して延出させる方向を、左方向にも右方向にも選択可能である。図１及び図２では、電動工具１２に対するハンドル部２４の延出方向を左方向とした右利き用の装着例で示しているが、ハンドル部２４を右方向に延出させた左利き用の装着の選択も可能である。
【００２１】
図１〜図３に示すように、取付部２３は、略円柱状に形成された締付け部２５と、締付け部２５の側面からその軸線方向と直交する方向に延設された略円環状の円環部２６とを有している。取付部２３には、締付け部２５及び円環部２６に跨ってスリット２７が設けられ、締付け部２５の軸方向においてスリット２７の間隔が変更、すなわち円環部２６の直径（内径）が変更できるようになっている。
【００２２】
ハンドル部２４は、締付け部２５の軸方向に沿って延出形成され、ユーザの手で把持し易い細長略円筒状をなしている。ハンドル部２４の基端側（取付部２３側）にはフランジ部２４ａが設けられている。
【００２３】
また、ハンドル部２４及び締付け部２５内には、軸方向に挿通されるボルト（図示略）が設けられ、締付け部２５においてスリット２７で分けられた両側部分がこのボルトにより連結されている。例えばハンドル部２４を軸回転させると、それと連れ回りするボルトの作用により、スリット２７の間隔が変更できるようになっている。
【００２４】
補助ハンドル部１９の取り付けに際し、円環部２６がギアケース２２の外周面上の取付位置までアタッチメント本体部１８に外挿できるように、スリット２７の間隔、すなわち円環部２６の直径（内径）が一旦大きくされる。そして、円環部２６がギアケース２２の外周面上の取付位置に配置された所で、ハンドル部２４を軸回転させる操作を行って締付け部２５に対するボルトの螺合を進めることで、スリット２７の間隔を小さくして円環部２６の内径を小さくする締め付けを行う。この締め付けにより、補助ハンドル部１９はアタッチメント本体部１８に固定される。
【００２５】
図３に示すように、変速機構部２１の動力伝達方向上流側の端面を形成する略円板状の板材２９（プレート）、すなわち電動工具１２側のチャック部１３の回転が入力される側に配置された板材２９の中央部分からは、所定長さを有する入力軸２８が軸線方向に突出している。この入力軸２８は、変速アタッチメント１１が図１及び図２に示す電動工具１２のチャック部１３に装着される際に、チャック部１３の装着穴に挿着される。このため、変速アタッチメント１１が電動工具１２に装着された状態では、入力軸２８がチャック部１３と一体的に軸回転し、電動工具１２の回転出力が変速アタッチメント１１に入力されるようになっている。
【００２６】
次に上記の変速アタッチメント１１が装着される電動工具１２の概略構成を説明する。図１及び図２に示す電動工具１２は、片手で把持部３１ｂを把持可能な手持ち式であり、例えばドリルドライバーとして使用される。この電動工具１２は、そのチャック部１３に装着する先端工具の種類を替えることで、ドリル又はドライバーとして機能する。
【００２７】
図１及び図２に示すように、電動工具１２は、略円筒状の胴部３１ａと、胴部３１ａの長手方向途中から下方に延出形成された把持部３１ｂとで構成される略Ｔ字状の本体ケース３１を有する。また、電動工具１２は、本体ケース３１に対して着脱可能な電池パック３２を有する。なお、以下の説明では、胴部３１ａの長手方向を前後方向、把持部３１ｂの略延出方向で前記前後方向と直交した方向を上下方向、前後及び上下方向と直交する方向を左右方向と呼ぶ場合がある。
【００２８】
図１に示すように、本体ケース３１の胴部３１ａ内には、長手方向の後方側に配置された動力源の一例であるモーター３３と、その前方側に配置されてモーター３３の回転を減速する動力伝達部３４とが収容されている。電動工具１２の前側先端部分に設けられたチャック部１３は、先端工具１５を着脱可能に装着しうるように構成され、動力伝達部３４の出力が伝達される出力軸３５と一体的に軸回転可能な状態に連結されている。図１に示す動力伝達部３４は、一例として複数段の遊星歯車機構を含む減速機構と、減速機構の減速段（減速比）を切り換え可能なクラッチ機構とを有する。
【００２９】
図１及び図２に示すように、胴部３１ａの上面には、動力伝達部３４を構成する減速機構の減速段を複数段のうちいずれか一つに固定するか、自動変速を行うかを切り換えるための変速切換スイッチ３６が設けられている。変速切換スイッチ３６は、例えばスライドスイッチであり、その位置を前後方向にスライドさせることでクラッチ機構が作動され、電動工具１２は、高速低トルク駆動（Ｈギア）、低速高トルク駆動（Ｌギア）、自動変速（ＡＵＴＯ）の三つの駆動モードに切り換えられる。
【００３０】
また、図１に示すように、胴部３１ａの把持部３１ｂとの接続部分近傍には、モーター３３の回転方向を切り換える回転方向切換スイッチ３７が設けられている。回転方向切換スイッチ３７は、例えば、モーター３３を正転、逆転、停止させる三つの状態に切換可能に構成されている。把持部３１ｂには、トリガーレバー３８が例えばバネによって前方側へ付勢された状態で把持部３１ｂから前方に突出している。
【００３１】
また、胴部３１ａにおいてチャック部１３の動力伝達方向上流側（図１、図２では右側）に隣接する位置には、作動トルクの調整操作が可能な略円筒状の操作部３９が設けられている。操作部３９は胴部３１ａの周方向に回転操作されることでチャック部１３（つまりチャック部１３に装着された場合の先端工具）の作動トルクの段階的（例えば５〜３０段階の範囲内の所定段階）な変更が可能となっている。把持部３１ｂの下端には、前方に突出する電池パック装着部３１ｃが形成され、この電池パック装着部３１ｃには電池パック３２が装着されている。
【００３２】
次に、上記のように構成された変速アタッチメント１１の詳細な構造を図４及び図５を用いて説明する。
図４及び図５に示すように、変速機構部２１を構成するギアケース２２の中には、入力軸２８の回転を変速させる変速機構４０が組み付けられている。まず変速機構４０の構成を説明する。ギアケース２２の中には、入力軸２８の基部が組み込まれている。この入力軸２８の基端部に同軸上に配置されるように形成された円板状部２８ｂの入力軸２８の突出側とは反対側の底面には、複数本（図４では一例として３本）のピン４２が周方向に一定の角度間隔となる各位置に軸線方向と平行な方向に突出する状態で固定されている。複数本のピン４２には円筒状の遊星ギア４３が回転自在な状態で取り付けられている。
【００３３】
複数個の遊星ギア４３は、円環状のリングギア４４と円筒状のサンギア４５との間に両ギア４４，４５に噛合する状態で組み込まれている。サンギア４５は略円環形状のキャリア４６の中央部に形成された支持孔にその軸部が挿着された状態でキャリア４６に対して回転自在に取り付けられている。これによりサンギア４５の回転数は入力軸２８の回転数を増速する構成になっている。このように本実施形態の変速機構４０は増速機構であり、入力軸２８におけるピン４２が形成された円板状部２８ｂ、遊星ギア４３、リングギア４４、サンギア４５及びキャリア４６により構成される。
【００３４】
図４及び図５に示すように、キャリア４６のサンギア４５が突出する側の面と反対側の面には、複数の突起部４７が周方向に一定の角度間隔となる各位置にサンギア４５の突出方向と反対の方向に突設されている。キャリア４６の突起部４７側の位置には、複数本のピン４８が複数の突起部４７と係合可能な位置に組み込まれている。さらに、これらピン４８の間に、円筒板状のロック板４９の外周面に突設された複数（一例として３つ）の突起部４９ａを組み込む状態にロック板４９が組み付けられる。キャリア４６の突起部４７、ピン４８及びロック板４９により、回転入力停止時に出力軸５０の回転がロックされるロック機構が構成される。
【００３５】
また、図４に示すように、出力軸５０には、その動力伝達方向上流側の端部にＤカット部５０ａが形成され、またその動力伝達方向下流側寄りの部分に雄ねじ部５０ｂが形成されている。この出力軸５０は、そのＤカット部５０ａがロック板４９の中央部に形成されたＤ型孔に挿着されることで、ロック板４９に対して一体的な軸回転が可能となっている。出力軸５０の動力伝達方向上流側の端部には、出力軸５０のロック板４９からの抜けを防止する目的で止め輪５１が固定される。
【００３６】
出力軸５０には、円筒状のベアリング５２が回転自在に取り付けられており、ベアリング５２はギアケース２２の内周面に圧入される。また、出力軸５０はその動力伝達方向下流側寄りの部分の雄ねじ部５０ｂが、チャック部１４の端面に形成されたねじ穴１４ｂに螺着されることにより、チャック部１４に対して同軸上に固定される。さらにチャック部１４が雄ねじ部５０ｂから外れるのを防止するために、装着穴１４ａに挿入された止めねじ５３が、出力軸５０の雄ねじ部５０ｂ側の端面に形成されたねじ穴５０ｃ（図５を参照）に螺着されることで、チャック部１４と出力軸５０は止めねじ５３によっても固定されている。
【００３７】
図４及び図５に示すように、板材２９の中央部に形成された取付孔２９ａには、円筒状のベアリング５４が圧入固定される。入力軸２８はその基部寄りの部分がこのベアリング５４に支持されることで、板材２９に対して回転自在な状態に取り付けられている。また、入力軸２８の基部寄りの部分には、ベアリング５４の抜け防止のための止め輪５５が取着される。
【００３８】
円板状の板材２９は、変速機構４０の主要部分を軸方向に挟む２枚の皿ばね５６を間に挟んだ状態で、板材２９に形成された複数のねじ挿通孔に挿通した複数本のねじ５７がギアケース２２側のねじ穴に螺着されることにより、ギアケース２２に対して固定されている。
【００３９】
図４に示すように、入力軸２８は、電動工具１２のチャック部１３の装着穴に着脱可能に装着されうる軸形状を有している。また、入力軸２８の先端寄り部分の側部には、入力軸２８が電動工具１２のチャック部１３に取り付けられた状態で、入力軸２８のチャック部１３に対する軸回転方向の滑りを防止可能な軸断面形状とするための平面部２８ａが形成されている。
【００４０】
図４に示すように、このアタッチメント本体部１８には、変速アタッチメント１１の電動工具１２に対する共回りを防止するためにユーザにより把持される補助ハンドル部１９が、出力軸５０と直交する方向に延出する状態で着脱可能に取り付けられている。ギアケース２２の外周面における入力軸２８寄りの部分が、補助ハンドル部１９が取り付けられる被取付面２２ａとなっている。本実施形態の被取付面２２ａには、周方向に凹部と凸部が交互に配列されてなる凹凸面に形成されている。
【００４１】
一方、図４に示すように、補助ハンドル部１９の円環部２６の内周面２６ａは、ギアケース２２側の被取付面２２ａと同様に周方向に沿って凹部と凸部が交互に配列されてなる凹凸面に形成されている。そして、補助ハンドル部１９の円環部２６は、ギアケース２２の被取付面２２ａに対して、互いの凹凸面が噛み合う状態で締め付けられる。この凹凸面の噛み合いにより、補助ハンドル部１９の固定位置はアタッチメント本体部１８の周方向にずれることなく保持される。また、補助ハンドル部１９を取り付ける方向を左右で変えても凹凸面は噛み合うので、右利き左利きに合わせて容易に補助ハンドル部１９を付け替え可能な構成となっている。
【００４２】
次に、上記のように構成された変速アタッチメント１１及びこの変速アタッチメント１１が装着された電動工具１２の作用を説明する。
本実施形態の電動工具１２は、高速回転で駆動させるときには高速モードを選択する。しかし、タイル等のセラミック材料からなる対象物に対する作業時は、高速モードでも回転速度が不足する場合がある。このような場合、変速アタッチメント１１を電動工具１２に装着する。すなわち、変速アタッチメント１１の入力軸２８（図３を参照）を、電動工具１２のチャック部１３に一体的に軸回転可能な状態に装着する。このとき、電動工具１２に対する補助ハンドル部１９の延出方向は、ユーザの利き手や作業性を考慮してユーザが好みで調整する。
【００４３】
作業時には、ユーザは、一方の手で電動工具１２の把持部３１ｂを把持するとともに、他方の手で補助ハンドル部１９のハンドル部２４を握り、この状態でトリガーレバー３８を操作することにより、電動工具１２を作動させる。すなわち、トリガーレバー３８の操作量に応じた駆動速度でモーター３３が駆動され、このモーター３３の回転出力が、動力伝達部３４により変速切換スイッチ３６の操作位置に応じた減速段で減速され、その減速した回転で出力軸３５と共にチャック部１３が回転する。そして、チャック部１３に装着された入力軸２８がチャック部１３と同じ速度で回転する。つまり、変速アタッチメント１１の入力軸２８に、電動工具１２の出力回転が入力される。
【００４４】
変速アタッチメント１１内では入力軸２８の回転が変速機構４０により増速され、出力軸５０に出力される。このため、出力軸５０と一体的に回転するチャック部１４は増速された高速回転で回転し、チャック部１４に装着された先端工具１５が高速回転する。よって、高速回転する先端工具１５によりセラミック材料からなる対象物に対する作業を比較的短時間で行うことができる。
【００４５】
また、作業中のユーザは一方の手で電動工具１２の把持部３１ｂを把持するとともに、他方の手で補助ハンドル部１９を把持しているので、変速アタッチメント１１が電動工具１２に対して共回りすることが回避される。
【００４６】
以上詳述したように本実施形態によれば、以下の効果が得られる。
（１）変速アタッチメント１１は、可搬型の電動工具１２のチャック部１３に着脱可能に取り付けられる入力軸２８と、入力軸２８の回転を変速させる変速機構部２１と、変速機構部２１により変速された速度で回転するとともに先端工具１５を着脱可能に取り付け可能なチャック部１４とを備える。このため、変速アタッチメント１１の使用により、電動工具１２の能力を超えた速度で先端工具１５を回転させることができ、電動工具１２を単体で使用する場合に比べ、対象物に対する作業を効率よく行うことができる。
【００４７】
（２）変速アタッチメント１１は、ギアケース２２（筐体の一例）に固定された補助ハンドル部１９を備える。このため、作業中にユーザがハンドル部２４を握ることで、電動工具１２に対する変速アタッチメント１１の共回りを防止できる。よって、変速アタッチメント１１の共回りに起因する先端工具１５の回転速度の低下を抑制できる。補助ハンドル部１９を握ることにより、作業中に発生する電動工具１２の振動によるずれを抑えることができる。
【００４８】
（３）変速機構部２１が入力軸２８の回転を増速させる増速機構部である。このため、電動工具１２の能力を超える高速度で先端工具１５を回転させることができる。例えばタイル等のセラミック材料からなる対象物に対する作業（例えば穴開け作業）を短時間で済ませられる。
【００４９】
（４）補助ハンドル部１９は、入力軸２８に対して略直交する方向に延びる状態で変速機構部２１のギアケース２２（筐体の一例）に着脱可能に取り付けられる。このため、不使用時にはアタッチメント本体部１８と補助ハンドル部１９とを分離して、変速アタッチメント１１をコンパクトに収納できる。
【００５０】
（５）電動工具１２に対して補助ハンドル部１９を延出させる方向を調整できるので、ユーザの利き手や作業の種類に応じた向きに補助ハンドル部１９を配置すれば、電動工具１２を用いた作業を効率よく行うことがでできる。
【００５１】
（６）円環部２６の内周面と被取付面２２ａとを凹凸面とし、互いの凹部と凸部が噛み合うことで補助ハンドル部１９の向きが保持されているので、補助ハンドル部１９が延出する向きが作業中の振動などによりずれることを回避できる。
【００５２】
（第２実施形態）
次に図６を用いて第２実施形態について説明する。この第２実施形態は、変速アタッチメントの筐体部分を電動工具１２の胴部３１ａに対して相対回転不能な状態に固定するための回転防止機能を実現する手段として、補助ハンドル部１９に替えて、ストッパー６２を設けた構成である。以下、第１実施形態と同一の構成については同一の符号を付して説明を省略し、特に異なる部分についてのみ説明する。
【００５３】
図６に示すように、本実施形態における変速アタッチメント６１は、前記第１実施形態の変速アタッチメント１１から補助ハンドル部１９を無くし、替わりに回転防止用のストッパー６２を設けている。すなわち、本例の変速アタッチメント６１は、電動工具１２側のチャック部１３に装着されるアタッチメント本体部１８と、回転防止用のストッパー６２とを備えている。なお、アタッチメント本体部１８は、前記第１実施形態と同様の構成である。
【００５４】
ストッパー６２は、変速機構部２１のギアケース２２の外周面と、胴部３１ａの外周面とに、その長手方向の両端部を嵌合させることが可能な内周径に形成された略半円筒形状の板材から構成される。詳しくは、ストッパー６２は、ギアケース２２の被取付面２２ａの外周径より若干大きな内周径を有し軸線方向と直交する方向に切った断面形状がＣ字状の半円筒部分からなる嵌合部６２ａと、胴部３１ａにおける軸方向に操作部３９と変速切換スイッチ３６との間の部分の外周径より若干大きな内周径を有し軸線方向と直交する方向に切った断面形状がＣ字状の半円筒部分からなる嵌合部６２ｂとを有する。２つの嵌合部６２ａ，６２ｂは、ストッパー６２の軸線方向（長手方向）における両端部に位置する。２つの嵌合部６２ａ，６２ｂの間は連接部６２ｃにより接続されている。
【００５５】
また、ストッパー６２は、２つの嵌合部６２ａ，６２ｂに挟まれた部分の周方向両端部が凹設されてできた左右一対の凹部６２ｄ（但し図６では一方のみ図示）を有している。変速アタッチメント６１の装着状態の下では、ユーザは凹部６２ｄを通じて電動工具１２のチャック部１３などの先端部分を視認可能となっている。
【００５６】
なお、ストッパー６２の嵌合部６２ａ，６２ｂのうち少なくとも一方の内周面を周方向に凹部と凸部が交互に配列されてなる凹凸面としている。そして、ギアケース２２の被取付面２２ａと胴部３１ａの被取付面とのうちストッパー６２側の凹凸面と対応する少なくとも一方を、凹凸面と噛み合い可能な凹凸面としている。このため、凹部と凸部との噛み合いにより、アタッチメント本体部１８と胴部３１ａとを係合しているストッパー６２が外れにくいうえ、ストッパー６２の胴部３１ａの周方向へのずれも防止できる。もちろん、ストッパー６２がアタッチメント本体部１８と胴部３１ａとに係合される状態を保持できれば、係合部分の面に凹凸が形成されていない構成も採用できる。
【００５７】
この第２実施形態によれば、第１実施形態と同様の効果が得られるうえ、以下の効果も得られる。
（７）アタッチメント本体部１８のギアケース２２（筐体の一例）と、電動工具１２の本体ケース３１（電動工具側の筐体の一例）とに係合可能なストッパー６２を設けた。このため、アタッチメント本体部１８と電動工具１２とがストッパー６２を介して相対回転不能に固定されるので、作業中における変速アタッチメント１１の共回りを防止できる。よって、先端工具１５を所望の高速度で回転させることができ、例えばセラミック材料からなる対象物に対する作業を効率よく行うことができる。
【００５８】
（８）変速アタッチメント１１の共回りを防止するために、ギアケース２２を他方の手で保持したり、第１実施形態のように補助ハンドル部１９を他方の手で握ったりする必要がない。従って、変速アタッチメント１１を装着した電動工具１２を片手で把持して作業を行うことができ、作業性が向上する。また、第１実施形態の構成では狭い作業エリアで補助ハンドル部１９が邪魔になる場合もありうるが、本実施形態の構成であれば、狭い作業エリアでも作業し易い。
【００５９】
なお、実施形態は、以下に示す構成でもよい。
・前記各実施形態では、変速アタッチメントは変速として増速を行う構成であったが、減速を行う構成でもよい。減速を行う変速アタッチメントとした場合、電動工具１２のみで使用するときに比べ高トルクを得ることができ、高トルクが必要な作業を効率よく行うことができる。
【００６０】
・補助ハンドル部をアタッチメント本体に対して着脱式としたが、補助ハンドル部がアタッチメント本体に固定されていてもよい。
・変速機構部は、減速機構であることに限定されず、増速機構でもよいし、減速と増速との両方が可能な変速機構でもよい。
【００６１】
・前記第２実施形態において、ストッパー６２は、アタッチメント本体部１８に着脱可能に取り付け可能な構成としたが、予めストッパー６２とアタッチメント本体部１８とを固定しておいてもよい。
【００６２】
・変速機構部内の変速機構４０は、遊星歯車機構以外の歯車機構で構成されてもよい。
・前記第２実施形態において、ストッパー６２は半円筒状に限定されない。例えばアタッチメント本体と電動工具とを相対回転不能に係止されればその形状は適宜選択できる。
【００６３】
・変速機構部は、遊星歯車機構を複数段備え、複数の変速段の中から１つを選択する切換スイッチ（操作部）を備えた変速アタッチメントとしてもよい。この構成によれば、切換スイッチの操作で、変速段を切り換えることができる。例えば変速機構が増速機構であれば、複数の増速段のうちユーザが所望する１つを選択でき、また例えば変速機構が減速機構であれば、複数の減速段のうちユーザが所望する１つを選択できる。また、変速機構部が増速機構と減速機構とを内蔵し、増速か減速かを切り換える切換スイッチ（操作部）が設けられた変速アタッチメントでもよい。
【００６４】
・変速機構部は、増速機構と減速機構とを内蔵し、増速か減速かを切り換える切換スイッチが設けられた構成でもよい。
・ハンドル部が左右に１本ずつ延出する変速アタッチメントとしてもよい。
【００６５】
・前記実施形態では、２速モード（低トルク高速回転・高トルク低速回転）であったが、３速モード、４速モード、５速モード及び６速モードを採用することもできる。また、変速切換え方式は、手動操作により機械的に切換えられる方式でもよいし、電動モーターの動力で切り換えられる電動切換え方式でもよい。また、手動切換え方式のみの構成でもよいし、電動切換え方式（自動切換え方式）のみの構成でもよい。
【００６６】
・電動工具を充電式としたが、充電式でないタイプのＡＣ電動工具に適用してもよい。
・さらに、可搬型の電動工具はコンクリート用電動式ドライバーに限られず、モーターを動力源にする他の可搬型の電動工具にも同様に適用できる。例えば、電動式のインパクトドライバー、ハンマードリル、インパクトレンチ、丸鋸、ジグソー、スクリュードライバー、振動ドライバー、グラインダ、釘打機など把持部を有する電動工具に適用することができる。この場合、電動工具は、コンクリート用に限定されず、対象物の材質は、木、プラスチック、金属、セラミックなどでもよい。
【００６７】
・可搬型の動力工具は電動工具に限定されず、空気圧を動力として駆動される可搬型の動力工具でもよい。その他、油圧を動力して駆動される可搬型の動力工具であってもよい。すなわち、可搬型の動力工具は電気、空気圧、油圧などの公知の方式で得られる動力で駆動されるものであればよい。
【符号の説明】
【００６８】
１１…変速アタッチメント、１２…動力工具の一例としての電動工具、１３…チャック部（電動工具側）、１４…チャック部（変速アタッチメント側）、１５…先端工具、１８…アタッチメント本体部、１９…補助ハンドル部、２１…変速機構部、２２…変速機構部の筐体の一例であるギアケース、２３…取付部、２４…ハンドル部、２８…入力軸、３１…本体ケース、３１ａ…胴部、３１ｂ…把持部、３３…動力源の一例であるモーター、３４…動力伝達部、３５…出力軸、４０…変速機構、６１…変速アタッチメント、６２…ストッパー。
【図１】
2014205222.tif 000003
【図２】
2014205222.tif 000004
【図３】
2014205222.tif 000005
【図４】
2014205222.tif 000006
【図５】
2014205222.tif 000007
【図６】
2014205222.tif 000008